(57)【要約】【課題】ディスクグラインダ等の手持ち工具を用いて高所での作業を行う場合には、テザーストラップ等の吊り下げ具を用いて落下させてしまうことがないように対策が施される。落下防止用の吊り下げ具を結合する結合部が損傷等を受けた場合に、その事実を作業者に報知して、吊り下げ具の本来の吊り下げ機能が確実に果たされるようにする。【解決手段】円環形の結合部１０の内周孔１０ａに沿って空洞部１２を設ける。薄肉化された空洞部１２を、耐衝撃性が低い部位として機能させる。空洞部１２に衝撃が付加されてひび割れが発生する。使用者はひび割れを目視することで当該結合部１０のメンテナンスの必要性を認識することができ、それまでの使用を中止することができる。【選択図】図２
2019181598.tif 000002
【特許請求の範囲】
【請求項１】
作業者が手に持って用いる手持ち工具であって、吊り下げ具を結合するための結合部と、該結合部の変形を目視により認識するための報知手段を備えた手持ち工具。
【請求項２】
請求項１に記載した手持ち工具であって、前記結合部に、耐衝撃性の高い部位と低い部位を設け、該耐衝撃性の低い部位を変形させて前記報知手段とする構成とした手持ち工具。
【請求項３】
請求項２に記載した手持ち工具であって、前記耐衝撃性が低い部位として、内部に空洞部を設けた手持ち工具。
【請求項４】
請求項２に記載した手持ち工具であって、前記耐衝撃性が低い部位として、ループ形の結合部の内周側にリブを掛け渡して設けた手持ち工具。
【請求項５】
請求項１に記載した手持ち工具であって、前記結合部の内部に、前記報知手段を備えた手持ち工具。
【請求項６】
請求項５に記載した手持ち工具であって、前記報知手段として光源を内装した手持ち工具。
【請求項７】
請求項５に記載した手持ち工具であって、前記報知手段として塗料を充填した手持ち工具。
【発明の詳細な説明】
【技術分野】
【０００１】
本発明は、例えばディスクグラインダであって、作業者が手に持って用いる手持ち工具に関する。
【背景技術】
【０００２】
例えば、研削作業に用いるディスクグラインダ等の手持ち工具については、特に高所で作業を行う場合に、誤って落下させてしまうことを防止するためにテザーストラップ等の吊り下げ具を用いて手持ち工具を足場や手摺に結合しておく対策がなされる。下記の特許文献には、この種の吊り下げ具を結合したり、作業中断時に当該手持ち工具を作業ベルトや足場等に吊り下げておくためのフックに関する技術が開示されている。
【先行技術文献】
【特許文献】
【０００３】
【特許文献１】特開２００６−３２６７５３号公報
【特許文献２】特開２０１５−１７８１５４号公報
【発明の概要】
【発明が解決しようとする課題】
【０００４】
この種の手持ち工具について、落下防止用のテザーストラップ等の吊り下げ具を結合する結合部については、吊り下げ具を介して大きな衝撃が付加されること等により損傷を受け、その結果吊り下げ機能が十分に果たされなくなることも想定されるが、従来作業者がその事実を知らぬまま引き続き吊り下げ具を用いることがないようにするための対策、あるいはメンテナンスにより結合部の回復を促すための対策が十分になされていなかった。
【０００５】
本発明は、落下防止用の吊り下げ具を結合する結合部が損傷等を受けた場合に、その事実を作業者に報知して、吊り下げ具の本来の吊り下げ機能が確実に果たされるようにすることを目的とする。
【課題を解決するための手段】
【０００６】
上記した課題は以下の各発明により解決される。第１の発明は、作業者が手に持って用いる手持ち工具であって、吊り下げ具を結合するための結合部と、結合部の変形を目視により認識するための報知手段を備えた手持ち工具である。
【０００７】
第１の発明によれば、テザーストラップ等の吊り下げ具が結合部に結合されて、手持ち工具の落下が防止される。吊り下げ具を経て結合部に衝撃が付加されると、この事実が報知手段により報知されて使用者は目視により当該事実を認識することができる。結合部が損傷を受けたことが視覚的に報知されることにより、作業者は結合部の回復等のメンテナンスを行う必要があることを認識することができ、これにより吊り下げ具の吊り下げ機能（結合部の機能）が確実に発揮されるようにすることができる。
【０００８】
第２の発明は、第１の発明において、結合部に、耐衝撃性の高い部位と低い部位を設け、耐衝撃性の低い部位を変形させて報知手段とする構成とした手持ち工具である。
【０００９】
第２の発明によれば、吊り下げ具を経て結合部に衝撃が付加されると、耐衝撃性の低い部位に応力が集中して当該部位が損傷を受けて変形しやすい。耐衝撃性の低い部位が損傷を受けて変形することにより、当該結合部が損傷を受けたことが報知される。耐衝撃性が低い部位を積極的に設けて衝撃により損傷を受ける部位を固定化しておくことにより、損傷を受けた事実の報知がより確実になされる。
【００１０】
第３の発明は、第２の発明において、耐衝撃性が低い部位として、内部に空洞部を設けた手持ち工具である。
【００１１】
第３の発明によれば、吊り下げ具を経て結合部に衝撃が付加されると、耐衝撃性が低い部位としての空洞部が変形して、当該結合部が損傷を受けた事実が報知される。
【００１２】
第４の発明は、第２の発明において、耐衝撃性が低い部位として、ループ形の結合部の内周側にリブを掛け渡して設けた手持ち工具である。
【００１３】
第４の発明によれば、吊り下げ具を経て結合部に衝撃が付加されると、耐衝撃性が低い部位としてのリブが変形して、当該結合部が損傷を受けた事実が報知される。
【００１４】
第５の発明は、第１の発明において、結合部の内部に、報知手段を備えた手持ち工具である。
【００１５】
第５の発明によれば、吊り下げ具を経て付加された衝撃により結合部が損傷を受けると、当該結合部の内部に備えた報知手段によりこの事実が報知される。使用者は目視で報知手段を確認することにより、当該結合部が損傷を受けた事実を認識することができ、これにより当該結合部のメンテナンスが促されて吊り下げ具の吊り下げ機能が確実に発揮されるようにすることができる。
【００１６】
第６の発明は、第５の発明において、報知手段として光源を内装した手持ち工具である。
【００１７】
第６の発明によれば、吊り下げ具を経て付加された衝撃により結合部が損傷を受けると、当該損傷を受けた部位から光が漏れて当該結合部が損傷を受けた事実が報知される。
【００１８】
第７の発明は、第５の発明において、報知手段として塗料を充填した手持ち工具である。
【００１９】
第７の発明によれば、吊り下げ具を経て付加された衝撃により結合部がひび割れ等の損傷を受けると、当該損傷を受けた部位から塗料が流れて出て当該結合部が損傷を受けた事実が視覚的に報知される。塗料として蛍光塗料を用いることにより一層視認性を高めることができる。
【図面の簡単な説明】
【００２０】
【図１】本発明の第１実施形態に係る手持ち工具の全体側面図である。
【図２】第１実施形態に係る結合部の縦断面図である。
【図３】図１中(III)-(III)線断面矢視図であって、第１実施形態に係る結合部の横断面図である。
【図４】第２実施形態に係る結合部の側面図である。
【図５】図４中(V)-(V)線断面矢視図であって、第２実施形態に係る結合部の横断面図である。
【図６】第３実施形態に係る結合部の縦断面図である。
【図７】第４実施形態に係る結合部の縦断面図である。
【発明を実施するための形態】
【００２１】
次に、本発明の実施形態を図１〜図７に基づいて説明する。図１〜図３は、本発明の第１実施形態に係る手持ち工具１を示している。第１実施形態では、手持ち工具１としてディスクグラインダを例示している。この手持ち工具１は、円筒形の本体ハウジング３ａに駆動源としての電動モータ２を内装した本体部３を備えている。本体ハウジング３ａは、使用者が片手で把持しやすい太さに設定されてグリップ部として機能する。
【００２２】
本体部３の下面には、大型のスイッチレバー４が上下に傾動操作可能に設けられている。本体部３を把持した手の指先でスイッチレバー４を上方へ引き操作すると電動モータ２が起動する。スイッチレバー４には、小型のロックオフレバー４ａが設けられている。図示するようにロックオフレバー４ａを起立させた状態では、スイッチレバー４を上方へ引き操作できないため、電動モータ２が停止状態に維持される（ロックオフ状態）。ロックオフレバー４ａを後方へ倒してロックオフ状態を解除することにより、スイッチレバー４を上方へ引き操作することができる。
【００２３】
本体部３の前側には、ギヤヘッド部５が結合されている。ギヤヘッド部５は、電動モータ２の出力を減速してスピンドル５ａに出力するギヤ列（図では見えていない）を内装している。スピンドル５ａは、電動モータ２のモータ軸線に対して直交している。スピンドル５ａは、ギヤヘッド部５の下面から下方へ突き出されている。スピンドル５ａの下部には、円形の砥石６が取り付けられている。砥石６の後側はカバー６ａで覆われている。
【００２４】
本体部３の後部側は、左右半割構造の後部ケース７で覆われている。左右の半割ケースを突き合わせて形成される後部ケース７の内部には、スイッチレバー４の操作によりオンオフするメインスイッチが内装されている。後部ケース７の後面及び左右側部には、外気を導入するための多数の吸気口７ａが設けられている。図では見えていないが、電動モータ２の出力軸には冷却ファンが取り付けれている。電動モータ２が起動すると冷却ファンが回転して、吸気口７ａを経て後部ケース７及び本体ハウジング３ａ内に外気が導入される。導入された外気（モータ冷却風）により主として電動モータ２の冷却がなされる。モータ冷却風は、本体部３とギヤヘッド部５との結合部付近から外部へ排気される。
【００２５】
本実施形態では、交流電源式の手持ち工具１が例示されている。後部ケース７の後面からは、１本の電源コード８が引き出されている。電源コード８を経て交流電源が供給される。
【００２６】
第１実施形態の手持ち工具１は、作業時の落下防止用のテザーストラップ等の吊り下げ具Ｓを結合するための結合部１０を備えている。第１実施形態の結合部１０は、後部ケース７の後部であって電源コード８の下側に設けられている。結合部１０は、樹脂製の後部ケース７に一体に設けられており、且つ後部ケース７と同じく左右半割構造を有している。樹脂製かつ半割構造の結合部１０にテザーストラップ等の吊り下げ具Ｓを結合することができる。
【００２７】
第１実施形態の結合部１０は、円環形を有している。吊り下げ具Ｓは、結合部１０の内周孔１０ａに挿通させて結合されている。図２に示すように結合部１０の内部には、金属製の補強板１１が内装されている。補強板１１も円環形状を有している。補強板１１は、後部ケース７のねじ止めボス部７ｂと、２箇所の係合凸部７ｃにより移動不能に固定されている。補強板１１は、結合部１０の全周に沿って配置されている。
【００２８】
結合部１０の内周側（内周孔１０ａ側）かつ補強板１１の内周側には、補強板１１が存在しない空洞部１２が設けられている。空洞部１２は、内周孔１０ａ側の下部に沿ったほぼ半周の範囲にわたって設けられている。図３に示すように、空洞部１２は、結合部１０の左右幅に合わせて幅広の平板形を有している。図２において、空洞部１２が設けられた範囲を符合Ｅで示している。空洞部１２により、結合部１０の内周側が薄肉化されて、衝撃に対する強度（耐衝撃性）が他の部位よりも低くなっている。結合部１０の内周孔１０ａ側の上部の範囲には、空洞部１２が設けられておらず、左右半割構造の突き合わせにより形成される隙間が存在するのみとなって、下部側よりも耐衝撃性が高くなっている。
【００２９】
吊り下げ具Ｓは、補強板１１と空洞部１２の双方の周囲に巻かれた状態で結合具１０に結合されている。このため、手持ち工具１が落下等して吊り下げ具Ｓを経て衝撃が結合部１０に付加されると、耐衝撃性が最も低い空洞部１２に付加される。その結果、空洞部１２が衝撃によりひび割れ等の損傷を受ける。使用者は、結合部１０の内周側にひび割れ等の損傷を目視で確認することにより、当該結合部１０が損傷を受けたことが報知される。空洞部１２は、結合部１０が損傷を受けたことを視覚的に報知するための報知手段として機能する。
【００３０】
以上のように構成した第１実施形態の結合部１０によれば、吊り下げ具Ｓを経て結合部１０に衝撃が付加されると、空洞部１２により耐衝撃性が低下された内周孔１０ａ側にひび割れ等の損傷（変形）を受ける。使用者は、このひび割れ等の損傷を目視で確認することにより、当該結合部１０がそのまま使用できない程度の損傷を受けたことが報知される。結合部１０が損傷を受けたことが視覚的に報知されることにより、作業者は結合部の回復等のメンテナンスを行う必要があることを認識することができ、これにより吊り下げ具Ｓの吊り下げ機能（結合部の機能）が確実に発揮されるようにすることができる。
【００３１】
図４及び図５には、第２実施形態に係る結合部２０が示されている。第２実施形態に係る結合部２０は第１実施形態と同様、後部ケース７の後部であって電源コード８の下側に設けられている。結合部２０は、円環形状を有しており、樹脂製の後部ケース７に一体に成形されて半割構造を有している。その他、変更を要しない部位および構成については同位の符合を用いてその説明を省略する。
【００３２】
第２実施形態の結合部２０の内周孔２０ａに吊り下げ具Ｓが挿通されて結合されている。第２実施形態の場合、結合部２０の内周孔２０ａに、耐衝撃性の低い部位としてリブ２１が掛け渡されて設けられている。リブ２１は、内周孔２０ａの上部から斜め後方へ傾斜して延びて、内周孔２０ａの下部側後部に至っている。リブ２１は一定幅の平板形状を有している。リブ２１の両端部は、結合部２０の内周面に強固に結合されている。リブ２１には、板厚が薄肉化された折れ部２１ａが設けられている。折れ部２１ａは、リブ２１の長手方向ほぼ中央の１箇所に設けられている。
【００３３】
リブ２１に板厚方向の衝撃が付加されると、この折れ部２１ａで当該リブ２１が折れる。このため、第２実施形態では、リブ２１が吊り下げ具Ｓを経て付加される衝撃に対して耐久性が低い部位として機能する。折れ部２１ａを省略して当該リブ２１の全体を薄肉化して耐衝撃性の低い部位として設定してもよい。
【００３４】
以上例示した第２実施形態の結合部２０によっても、耐衝撃性の低い部位としてリブ２１が設けられていることにより、使用者はリブ２１の変形を目視で確認して、当該結合部２０が損傷を受けた事実を認識することができる。
【００３５】
図６には第３実施形態の結合部３０が示され、図７には第４実施形態の結合部４０が示されている。第３、第４実施形態の結合部３０，４０も、それぞれ後部ケース７の後部であって電源コード８の下側に設けられている。第３、第４実施形態の結合部３０，４０もそれぞれ円環形状を有しており、樹脂製の後部ケース７に一体に成形されて半割構造を有している。結合部３０，４０の内周孔３０ａ，４０ａに挿通させて吊り下げ具Ｓが当該結合部３０，４０に結合されている。
【００３６】
第３実施形態の結合部３０の内部には、円弧形の空間部３０ｂが設けられている。空間部３０ｂの端部には、発光ダイオード（ＬＥＤ）を光源とする発光部３１が設けられている。発光部３１の光は、空間部３０ｂの全体に照射される。発光部３１は、当該手持ち工具１を起動させると点灯する。
【００３７】
吊り下げ具Ｓを経て結合部３０に衝撃が付加され、その結果当該結合部３０にひび割れＣが発生すると、このひび割れＣから発光部３１の光が漏れる。使用者は、ひび割れＣから漏れた光を目視することにより、当該結合部３０が損傷を受けたことを認識することができる。
【００３８】
第４実施形態の結合部４０の内部には、円弧形の空間部４０ｂが設けられている。空間部４０ｂは、上記第３実施形態に係る空間部３０ｂとは異なって、当該結合部４０が左右の半割構造が相互に突き合わせられることにより外部からは密閉された空間部となっている。第４実施形態の場合、空間部４０ｂには、蛍光塗料４１が充填されている。蛍光塗料は、当該手持ち工具１の組み立て時に充填される。
【００３９】
吊り下げ具Ｓを経て結合部４０に衝撃が付加され、その結果当該結合部４０にひび割れＣが発生すると、このひび割れＣから蛍光塗料４１が漏れ出る。使用者は、ひび割れＣから漏れ出た蛍光塗料を目視することにより、当該結合部４０が損傷を受けたことを認識することができる。
【００４０】
第３及び第４実施形態において、結合部３０，４０が損傷を受けたことがひび割れＣから光や蛍光塗料が漏れて視覚的に報知されることにより、使用者は当該結合部３０，４０のメンテナンス等の必要性を認識することができ、またメンテナンス完了までの間当該手持ち工具１の使用を避けることができる。第３及び第４実施形態に係る結合部３０，４０のメンテナンスは、例えば後部ケース７を交換することにより行うことができる。
【００４１】
以上説明した実施形態にはさらに変更を加えることができる。例えば、第１実施形態において、内周孔１０ａの周囲に沿って「Ｅ」で示す範囲に空洞部１２を設けた構成を例示したが、全周にわたって設ける空洞部を設けた構成、あるいはより狭い範囲に空洞部を設けた構成としてもよい。
【００４２】
また、第２実施形態において、１本のリブ２１を設けた構成を例示したが、内周孔２０ａに複数本のリブを掛け渡して設け、それぞれに折れ部を設けた構成としてもよい。
【００４３】
さらに、後部ケース７と一体に成形して設けた結合部１０〜４０を例示したが、予め別部品として製作した結合部を後部ケースにねじ止め等して設ける構成としてもよい。結合部１０〜４０を後部ケース７と別部材とすることにより、メンテナンス時には損傷等を受けた結合部だけを交換すれば、当該手持ち工具を引き続き使用できるようになり、メンテナンスの低コスト化、迅速化を図ることができるようになる。
【００４４】
また、後部ケース７の後部に限らず、例えば後部ケース７の上部若しくは側部あるいは本体部３の上部若しくは側部等、その他の部位に吊り下げ具Ｓを結合するための結合部を設け、係る結合部に例示した各報知手段を設ける構成としてもよい。
【符号の説明】
【００４５】
Ｓ…吊り下げ具
１…手持ち工具（ディスクグラインダ）
２…電動モータ
３…本体部、３ａ…本体ハウジング
４…スイッチレバー、４ａ…ロックオフレバー
５…ギヤヘッド部、５ａ…スピンドル
６…砥石、６ａ…カバー
７…後部ケース、７ａ…吸気口、７ｂ…ねじ止めボス部、７ｃ…係合凸部
８…電源コード
１０…結合部（第１実施形態）、１０ａ…内周孔
１１…補強板
１２…空洞部
２０…結合部（第２実施形態）、２０ａ…内周孔
２１…リブ、２１ａ…折れ部
３０…結合部（第３実施形態）、３０ａ…内周孔、３０ｂ…空間部
３１…発光部
４０…結合部（第４実施形態）、４０ａ…内周孔、４０ｂ…空間部
４１…蛍光塗料
Ｃ…ひび割れ
【図１】
2019181598.tif 000003
【図２】
2019181598.tif 000004
【図３】
2019181598.tif 000005
【図４】
2019181598.tif 000006
【図５】
2019181598.tif 000007
【図６】
2019181598.tif 000008
【図７】
2019181598.tif 000009